(57)【要約】【課題】防護機能、視界を確保しつつレインバイザーの軽便な取着等を図る。【解決手段】ヘルメット本体１２のひさし部１２ａにレインバイザー１４の掛止部１４ａが掛けられると共に、その軸支部１４ｃに金属コイル１６ｂの端部が軸支された引っ張り部材１６は、ヘルメット本体１２の周縁上部に沿ってレインバイザー１４を引っ張るように張り渡される。その引っ張り部材１６に摺動可能に通されている固定金具１８の取着部１８ｂが、ヘルメット本体１２の後方縁に嵌着されている。そして、固定金具１８を外し、引っ張り部材１６の引っ張り状態を解除すれば、レインバイザー１４はヘルメット本体から外れる。【選択図】図１
0003119613.tif 000002
【実用新案登録請求の範囲】
【請求項１】
ヘルメット本体の前部にひさし部が形成されているヘルメットであって、
前記ひさし部の周縁に沿って、かつ、下方に所定の形状で形成され、前記ひさし部に掛けられる透明なレインバイザーと、
該レインバイザーの後端に取り付けられ、前記ヘルメット本体の周縁上部に沿って張り渡される柔軟な引っ張り部材と、
該引っ張り部材を前記ヘルメット本体に固定する固定手段とを備えることを特徴とするヘルメット。
【請求項２】
前記レインバイザーは、プラスチックで成形されることを特徴とする請求項１記載のヘルメット。
【請求項３】
前記レインバイザーは、前記ひさし部に嵌着する係合部を有することを特徴とする請求項１又は２記載のヘルメット。
【請求項４】
前記レインバイザーは、前記ひさし部の下縁から前記ヘルメット本体後方へ所定角度で曲げられていることを特徴とする請求項１又は２記載のヘルメット。
【請求項５】
前記引っ張り部材は、軟質なチューブ内に金属コイルを収納していることを特徴とする請求項１、２、３又は４記載のヘルメット。
【請求項６】
前記引っ張り部材は、軟質なチューブ内に弾性紐を収納していることを特徴とする請求項１、２、３又は４記載のヘルメット。
【請求項７】
前記固定手段は、前記引っ張り部材に摺動可能に取り付けられ、ヘルメット本体の後方中央の下縁に嵌着される金具であることを特徴とする請求項１乃至６のいずれか一に記載のヘルメット。
【請求項８】
前記固定手段は、前記ヘルメット本体の後方中央部に設けられ、前記引っ張り部材の中央部分を掛止する凹部を有する掛止部材であることを特徴とする請求項１乃至６のいずれか一に記載のヘルメット。
【考案の詳細な説明】
【技術分野】
【０００１】
この考案は、ヘルメットに関し、詳しくはめがねを使用する者の着用に好適なヘルメットに関する。
【背景技術】
【０００２】
従来から自転車、二輪車等において、その転倒時の衝撃から頭部を防護する必要性からヘルメットが着用されている。また、そのヘルメットにはひさし部が設けられている。ひさし部は、主として、日差しを避けるために設けられている。
また、二輪車の搭乗者が着用するヘルメットには、風、砂塵、雨等を避け、走行時の視界を確保するマスクを取り付けているものもある。
また、特許文献１に示すように、風雨時等に視界が妨げられないように頭部にバンドで取着されるレインバイザーもある。
【特許文献１】特開平１０−２０４７１６号公報
【考案の開示】
【考案が解決しようとする課題】
【０００３】
上述したように、各種形式のヘルメットがあるが、ひさし部だけを有するヘルメットは、主として、防護的機能を備えているだけであるので、風雨、砂塵等に対する視界を確保することはできない。
上述の二輪車用のヘルメットは、防護的機能に加えて、視界を確保する機能も兼ね備えている。この後者のヘルメットは、主として雨による視界を確保すればよい学童用のヘルメットとしては重装備過ぎて軽便性に劣るという問題がある。また、レインバイザーのみでは防護機能に欠ける。
【０００４】
この考案は、上述の事情に鑑みてなされたもので、防護機能も良好な視界も確保しつつレインバイザーを軽便に着脱自在に取着できるヘルメットを提供することを目的としている。
【課題を解決するための手段】
【０００５】
上記課題を解決するために、請求項１記載の考案は、ヘルメット本体の前部にひさし部が形成されているヘルメットに係り、上記ひさし部の周縁に沿って、かつ、下方に所定の形状で形成され、上記ひさし部に掛けられる透明なレインバイザーと、該レインバイザーの後端に取り付けられ、上記ヘルメット本体の周縁上部に沿って張り渡される柔軟な引っ張り部材と、該引っ張り部材を上記ヘルメット本体に固定する固定手段とを備えることを特徴としている。
【０００６】
請求項２記載の発明は、請求項１記載のヘルメットに係り、上記レインバイザーは、プラスチックで成形されることを特徴としている。
【０００７】
請求項３記載の発明は、請求項１又は２記載のヘルメットに係り、上記レインバイザーは、上記ひさし部に嵌着する係合部を有することを特徴としている。
【０００８】
請求項４記載の発明は、請求項１又は２記載のヘルメットに係り、上記レインバイザーは、上記ひさし部の下縁から上記ヘルメット本体後方へ所定角度で曲げられていることを特徴としている。
【０００９】
請求項５記載の発明は、請求項１、２、３又は４記載のヘルメットに係り、上記引っ張り部材は、軟質なチューブ内に金属コイルを収納していることを特徴としている。
【００１０】
請求項６記載の発明は、請求項１、２、３又は４記載のヘルメットに係り、上記引っ張り部材は、軟質なチューブ内に弾性紐を収納していることを特徴としている。
【００１１】
請求項７記載の発明は、請求項１乃至６のいずれか一に記載のヘルメットに係り、上記固定手段は、上記引っ張り部材に摺動可能に取り付けられ、ヘルメット本体の後方中央の下縁に嵌着される金具であることを特徴としている。
【００１２】
請求項８記載の発明は、請求項１乃至６のいずれか一に記載のヘルメットに係り、上記固定手段は、上記ヘルメット本体の後方中央部に設けられ、上記引っ張り部材の中央部分を掛止する凹部を有する掛止部材であることを特徴としている。
【考案の効果】
【００１３】
この考案によれば、レインバイザーの後端に取り付けられる引っ張り部材をヘルメット本体の周りに取り外し可能に緊縛固定しているので、防護機能を確保しつつ、風雨、砂塵等に対する良好な視界も得られるし、風雨、砂塵等がなくなったときにレインバイザーの着用から来るうっとうしさからの開放も図ることができる。この効果は、めがねを掛けている着用者が、風雨時に自転車や二輪車に乗っている場合や作業をする場合に顕著となる。
【考案を実施するための最良の形態】
【００１４】
この考案は、ヘルメット本体と、レインバイザーと、レインバイザーをヘルメット本体に固定させる柔軟な引っ張り部材及び固定具とにより構成することができる。
【実施例１】
【００１５】
図１は、この考案の実施例１であるヘルメットの斜視図、図２は、同ヘルメットに使用する透明なレインバイザー及び引っ張り部材の斜視図、図３は、引っ張り部材の側面図、また、図４は、同ヘルメットの側面図である。
この実施例のヘルメット１は、ヘルメット本体の前部に形成されるひさし部に着脱可能に掛けられたレインバイザーによりめがね着用者の視界を確保するように構成したヘルメットに係り、図１に示すように、前部にひさし部１２ａを形成したヘルメット本体１２と、ヘルメット本体１２のひさし部１２ａに掛けられるレインバイザー１４と、レインバイザー１４の後端に軸支される断面円形の柔軟な引っ張り部材１６と、引っ張り部材１６に摺動可能に取着される固定金具１８（図２）とから構成されている。
【００１６】
ヘルメット本体１２は、硬質な材料、例えば、鋼鉄等の金属から形成され、着用者の頭に被せられる形状のもので、その前部にひさし部１２ａが形成されると共に、その内部に網状に組まれた帯紐（図示せず）が内装され網状帯紐の下部に着用紐２０が取り付けられている。レインバイザー１４は、透明な材料、例えば、プラスチックで成形され、ひさし部１２ａと同形でひさし部１２ａに掛けられる掛止部１４ａと、掛止部１４ａから略垂直に下方へ延びる所定形状の覆い部１４ｂと、覆い部１４ｂの後端に軸支部１４ｃ（図２）とを有して構成される。引っ張り部材１６は、図３に示すように、弾性チユーブ１６ａ内に金属コイル１６ｂが内装されて構成されている。金属コイル１６ｂの両端は、それぞれレインバイザー１４の軸支部１４ｃに軸支される。固定金具１８は、引っ張り部材１６に摺動可能に嵌着されるリング状部１８ａと、リング状部１８ａから接線方向にＬ字状に形成されＬ字状端部から起立された取着部１８ｂとから形成されている。
【００１７】
次に、図１乃至図４を参照して、この実施例の使用について説明する。
着用者の頭に被るヘルメット１は、上述の構成要素から構成されている。すなわち、ヘルメット本体１２のひさし部１２ａにレインバイザー１４の掛止部１４ａが掛けられると共に、その軸支部１４ｃに金属コイル１６ｂの端部が軸支された引っ張り部材１６は、ヘルメット本体１２の周縁上部に沿ってレインバイザー１４を引っ張るようにして張り渡されている。その引っ張り部材１６に摺動可能に通されている固定金具１８の取着部１８ｂが、ヘルメット本体１２の後方縁に嵌着されている。
【００１８】
このようにして、レインバイザー１４は、ヘルメット本体１２のひさし部１２に掛けられ、かつ、引っ張り部材１６によってヘルメット本体１２の周りで後の方へ引っ張られて固定される。これに加えて、引っ張り部材１６は、固定金具１８によってヘルメット本体１２に固定される。
したがって、レインバイザー１４は、ヘルメット本体１２に強固に固定されヘルメット本体１２から離脱し難い。
【００１９】
上述構成のヘルメット１を着用者の頭に被り、着用紐２０を顎に掛けて縛り、使用するとき、特に、降雨時や風が吹き、砂塵が舞うときに視界が遮られてしまうことは無くなる。この効果は、めがねを掛けている着用者が、風雨時に自転車や二輪車に乗っている場合には顕著となる。
【００２０】
また、レインバイザー１４が不要のときは、固定金具１８を外し、引っ張り部材１６を若干引っ張りつつヘルメット本体１２から外してヘルメット本体１２とレインバイザー１４との引っ張り結合状態を解除する。これにより、レインバイザー１４の無いヘルメット１として使用することができる。
【００２１】
このように、この実施例の構成によれば、レインバイザーの後端に取り付けられる引っ張り部材をヘルメット本体の周りに取り外し可能に緊縛固定しているので、防護機能を確保しつつ、風雨、砂塵等に対する良好な視界も得られるし、風雨、砂塵等を受けなくなったときにレインバイザーの着用から来るうっとうしさからの開放も図ることができる。この効果は、めがねを掛けている着用者が、風雨時に自転車や二輪車に乗っている場合や作業をする場合に顕著となる。
【００２２】
以上、この考案の実施例を、図面を参照して詳述してきたが、この考案の具体的な構成は、これらの実施例に限られるものではなく、この考案の要旨を逸脱しない範囲の設計の変更等があってもそれらはこの考案に含まれる。
例えば、レインバイザーにヘルメット本体のひさし部に嵌着される嵌合部を形成してこの考案を実施することもできる。
また、レインバイザーは、ヘルメット本体のひさし部の下縁から着用者に支障を来たさない角度でヘルメット本体後方へ曲げられていてもよい。
また、引っ張り部材は、金属コイルに変えて弾性体を用いてもよい。
また、固定金具は、ヘルメット本体の後方中央部に設けられ、引っ張り部材を掛止させる凹部を有する掛止部材で代替させてもよい。
【図面の簡単な説明】
【００２３】
【図１】この考案の実施例１であるへるめっとの斜視図である。
【図２】同ヘルメットに使用する透明なレインバイザー及び引っ張り部材の斜視図である。
【図３】引っ張り部材の側面図である。
【図４】同ヘルメットの側面図である。
【符号の説明】
【００２４】
１      ヘルメット
１２      ヘルメット本体
１２ａ      ひさし部
１４      レインバイザー
１６      引っ張り部材
１８      固定金具（固定手段）
【図１】
0003119613.tif 000003
【図２】
0003119613.tif 000004
【図３】
0003119613.tif 000005
【図４】
0003119613.tif 000006